(57)【要約】【課題】特定の移動通信端末が無線通信可能なエリア内に存在することを別の移動通信端末に通知し得る、無線基地局、及びこれを備えるホームゲートウェイ装置を提供する。【解決手段】特定の移動通信端末４との無線通信が開始されているかどうかを判定する判定部２２と、特定の移動通信端末４との無線通信が開始されていると判定された場合に、特定の移動通信端末４との無線通信が開始されていることを示す通信開始情報を生成する情報生成部２４と、通信開始情報を外部の別の移動通信端末に送信する送信部２６とを備える、無線基地局を用いる。【選択図】図２
2010074345.tif 000002
【特許請求の範囲】
【請求項１】
特定の移動通信端末との無線通信が開始されているかどうかを判定する判定部と、
前記特定の移動通信端末との無線通信が開始されていると判定された場合に、前記特定の移動通信端末との無線通信が開始されていることを示す通信開始情報を生成する情報生成部と、
前記通信開始情報を外部の別の移動通信端末へ向けて送信する送信部とを備える、
ことを特徴とする無線基地局。
【請求項２】
前記情報生成部が、前記通信開始情報を含む電子メールを生成し、
前記送信部が、前記電子メールを予め登録されている前記別の移動通信端末に送信する、請求項１に記載の無線基地局。
【請求項３】
前記判定部が、前記特定の移動通信端末との無線通信が開始されていると判定した後に、前記特定の移動通信端末との無線通信が終了したと判定した場合は、
更に、前記情報生成部が、前記特定の移動通信端末との無線通信が終了したことを示す通信終了情報を生成し、
前記送信部が、前記通信終了情報を外部の前記別の移動通信端末へ向けて送信する、請求項１または２に記載の無線基地局。
【請求項４】
前記情報生成部が、前記通信終了情報を含む電子メールを生成し、
前記送信部が、前記通信終了情報を含む電子メールを、予め登録されている前記別の移動通信端末に送信する、請求項３に記載の無線基地局。
【請求項５】
無線基地局を備え、前記無線基地局は、
特定の移動通信端末との無線通信が開始されているかどうかを判定する判定部と、
前記特定の移動通信端末との無線通信が開始されていると判定された場合に、前記特定の移動通信端末との無線通信が開始されていることを示す通信開始情報を生成する情報生成部と、
前記通信開始情報を外部の別の移動通信端末へ向けて送信する送信部とを備える、
ことを特徴とするホームゲートウェイ装置。
【請求項６】
前記情報生成部が、前記通信開始情報を含む電子メールを生成し、
前記送信部が、前記電子メールを予め登録されている前記別の移動通信端末に送信する、請求項５に記載のホームゲートウェイ装置。
【請求項７】
前記判定部が、前記特定の移動通信端末との無線通信が開始されていると判定した後に、前記特定の移動通信端末との無線通信が終了したと判定した場合は、
更に、前記情報生成部が、前記特定の移動通信端末との無線通信が終了したことを示す通信終了情報を生成し、
前記送信部が、前記通信終了情報を外部の前記別の移動通信端末へ向けて送信する、請求項５または６に記載のホームゲートウェイ装置。
【請求項８】
前記情報生成部が、前記通信終了情報を含む電子メールを生成し、
前記送信部が、前記通信終了情報を含む電子メールを、予め登録されている前記別の移動通信端末に送信する、請求項７に記載のホームゲートウェイ装置。
【発明の詳細な説明】
【技術分野】
【０００１】
本発明は、無線基地局、及びそれを備えるホームゲートウェイ装置に関する。
【背景技術】
【０００２】
近年、携帯電話の分野においては、フェムトセル（femtocell）が注目されている（例えば、特許文献１参照。）。フェムトセルは、半径数十メートル程度のエリアであり、小型で低出力のフェムトセル用の基地局（フェムトセル基地局）によって提供される。このようなフェムトセルを導入すれば、これまでの基地局ではカバーしきれなかったエリア、例えば、ビル内や、地下、ユーザー宅内等において、電波の受信状態を改善できる。ユーザーは、このようなエリアでも、安心して携帯電話（移動通信端末）を使用することができる。
【０００３】
また、フェムトセル基地局は、従来からの基地局と異なり、ＦＴＴＨ（Fiber To The Home）やＡＤＳＬ（Asymmetric Digital Subscriber Line）といったブロードバンド回線を介して、携帯電話事業者のコアネットワークに接続される。このため、携帯電話事業者は、設備コストとコアネットワークの負荷とを低減でき、フェムトセル基地局を経由した通信については、通話料を大幅に値下げすることができる。
【０００４】
携帯電話事業者が、上述の通話料の値下げを設定する場合、ユーザーは、フェムトセル内で発信を行うことによって、通話料金の節約を図ることができる。特に、フェムトセル基地局が自宅に設置されている場合は、ユーザーは、料金を気にせずに、ゆっくりと会話を楽しむことができる。
【０００５】
また、携帯電話事業者は、自社のフェムトセル内にいるユーザーが、自社の他のフェムトセル内にいる別のユーザーと通話を行う場合は、更なる通話料の値下げを行うことができる。この場合は、コアネットワークを利用することなく、両者の間で通話が行われるからである。このような料金設定がなされている場合、発信側のユーザーにおいては、着信側のユーザーの携帯電話がフェムトセル内にいることを確認する手段が、求められる。
【特許文献１】特開２００４−１５１０３号公報（第１図）
【発明の開示】
【発明が解決しようとする課題】
【０００６】
しかしながら、発信側のユーザーが、着信側のユーザーの携帯電話の位置を確認しようとした場合、現在のところ、発信側のユーザーから着信側のユーザーに予め電話をかけるか、電子メールを送信するしか、確認する手段はない。発信側のユーザーにとって、このような確認作業は煩雑である。
【０００７】
本発明の目的は、上記問題を解消し、特定の移動通信端末が無線通信可能なエリア内に存在することを別の移動通信端末に通知し得る、無線基地局、及びこれを備えるホームゲートウェイ装置を提供することにある。
【課題を解決するための手段】
【０００８】
上記目的を達成するために本発明における無線基地局は、特定の移動通信端末との無線通信が開始されているかどうかを判定する判定部と、前記特定の移動通信端末との無線通信が開始されていると判定された場合に、前記特定の移動通信端末との無線通信が開始されていることを示す通信開始情報を生成する情報生成部と、前記通信開始情報を外部の別の移動通信端末へ向けて送信する送信部とを備える、ことを特徴とする。
【０００９】
また、上記目的を達成するために本発明におけるホームゲートウェイ装置は、無線基地局を備え、前記無線基地局は、特定の移動通信端末との無線通信が開始されているかどうかを判定する判定部と、前記特定の移動通信端末との無線通信が開始されていると判定された場合に、前記特定の移動通信端末との無線通信が開始されていることを示す通信開始情報を生成する情報生成部と、前記通信開始情報を外部の別の移動通信端末へ向けて送信する送信部とを備える、ことを特徴とする。
【００１０】
以上の特徴により、本発明において、無線基地局が、特定の移動通信端末と無線通信を行うと、そのことが無線基地局の外部にある別の移動通信端末に通知される。よって、無線基地局が、例えば、フェムトセル基地局である場合は、上記特定の移動通信端末がフェムトセル内にいることが、外部の別の移動通信端末に通知されることとなる。この場合、上記特定の移動通信端末への発信を希望する者は、煩わしい作業を行うことなく、上記特定の移動通信端末がフェムトセル内に存在しているかどうかを確認することが可能となる。また、移動通信端末への発信を希望する者は、この通知により、通話料金の節約を図ることができる。
【００１１】
また、上記本発明における無線基地局及びホームゲートウェイ装置においては、前記情報生成部が、前記通信開始情報を含む電子メールを生成し、前記送信部が、前記電子メールを予め登録されている前記別の移動通信端末に送信する、のが好ましい。この場合、上記特定の移動通信端末への発信を希望する者は、確実に情報を受けとることができる。
【００１２】
更に、上記本発明における無線基地局及びホームゲートウェイ装置は、前記判定部が、前記特定の移動通信端末との無線通信が開始されていると判定した後に、前記特定の移動通信端末との無線通信が終了したと判定した場合は、更に、前記情報生成部が、前記特定の移動通信端末との無線通信が終了したことを示す通信終了情報を生成し、前記送信部が、前記通信終了情報を外部の前記別の移動通信端末へ向けて送信する、態様であるのが好ましい。
【００１３】
この態様によれば、上記特定の移動通信端末が、無線基地局のセルから出たことが、相手方の移動通信端末に知らされる。そして、無線基地局が、例えば、フェムトセル基地局である場合、相手方は、通話料金の上昇を知ることができ、これを回避するため、例えば、通話の一時中止や、場所移動の要求等を行うことができる。
【００１４】
また、上記態様においては、前記情報生成部が、前記通信終了情報を含む電子メールを生成し、前記送信部が、前記通信終了情報を含む電子メールを、予め登録されている前記別の移動通信端末に送信する、のが好ましい。この場合は、相手方に、確実に、上記特定の移動通信端末が無線基地局のセルから出たことが通知される。
【発明の効果】
【００１５】
以上のように、本発明によれば、無線基地局は、特定の移動通信端末が無線通信可能なエリア内に存在することを、別の移動通信端末に通知することができる。
【発明を実施するための最良の形態】
【００１６】
（実施の形態１）
以下、本発明の実施の形態１における無線基地局、及びホームゲートウェイ装置について、図１〜図３を参照しながら説明する。最初に、本実施の形態１における無線基地局、及びホームゲートウェイ装置の全体構成について図１を用いて説明する。図１は、本発明の実施の形態１における無線基地局を備える移動通信システムの全体構成を示す図である。
【００１７】
図１に示すように、移動通信システム２０は、無線アクセスネットワークと、コアネットワーク１０とを備えている。無線アクセスネットワークは、ユーザーの移動通信端末と無線通信を行うためのネットワークであり、基地局制御装置７、及び無線基地局８を備えている。９は、無線基地局の一部を構成するアンテナである。無線基地局８は、アンテナ９を介して移動通信端末と無線通信を行っている。破線によって囲まれた領域８ａは、無線基地局８のセルを示している。基地局制御装置７は、基地局８と移動通信端末との間のチャネル設定や、移動通信端末が移動した場合の基地局８の切り替え等を行っている。
【００１８】
図１においては、基地局制御装置７及び無線基地局８は、それぞれ二つずつ例示されているが、基地局制御装置７及び無線基地局８の数は、これに限定されるものではない。同様に、図１では、移動通信端末４及び１４のみが例示されているが、移動通信端末の数も、これに限定されるものではない。本実施の形態１では、移動通信端末４及び１４は、携帯電話である。また、図１では、移動通信端末４及び１４が、無線基地局８のセル８ａ内に位置している場合は、これらは破線で示されている。
【００１９】
コアネットワーク１０は、移動通信システム２０の中心となるネットワークであり、図示されていないが、移動交換局や、ホームロケーションレジスタ（ＨＬＲ：Home Location Register）を備えている。このうち、移動交換局は、通話路やデータ通信路の設定や移動管理等を行っている。ＨＬＲは、移動通信端末４及び１４の位置情報等を保持している。
【００２０】
また、コアネットワーク１０は、電話網１５及び交換制御装置１６に接続されている。電話網１５及び交換制御装置１６は、インターネット６にも接続されている。交換制御装置１６は、インターネット６によって伝送されてきた通話データを、コアネットワーク１０及び電話網１５が扱うことが可能な形式の通話データに変換する。交換制御装置１６により、後述する無線基地局１（又は１１）のセル１ａ（１１ａ）内に存在する移動通信端末と、無線基地局８のセル８ａ内に存在している移動通信端末との間で、通話が可能となる。
【００２１】
更に、コアネットワーク１０は、ゲートウェイ１７を介してインターネット６にも接続されている。コアネットワーク１０とインターネット６との接続により、移動通信端末４及び１４は、無線基地局８と無線通信を行っている場合に、インターネット６上のＷｅｂ  Ｓｉｔｅにアクセスすることができる。
【００２２】
また、図１に示すように、移動通信システム２０は、無線アクセスネットワークを構成する無線基地局８とは別に、無線基地局１及び１１を備えている。無線基地局１及び１１は、無線基地局８と異なり、ブロードバンド回線５を介してインターネット６に接続され、更にインターネット６を経由してコアネットワーク１０に接続される。
【００２３】
本実施の形態１では、無線基地局１及び１１は、無線基地局８よりも出力の弱い基地局であり、無線基地局８のセル８ａよりも小さなセルを形成する。１ａは、無線基地局１のセルを示し、１１ａは無線基地局１１のセルを示している。セル１ａ及び１１ａは、半径が数十メートル程度のセルであり、一般に「フェムトセル」と呼ばれている。以下の説明においては、無線基地局１及び１１を無線基地局８と区別するため、無線基地局１及び１１は、それぞれ、「フェムトセル基地局１」、「フェムトセル基地局１１」とする。
【００２４】
また、フェムトセル基地局１は、建物３内に設置され、ホームゲートウェイ装置２の一部を構成している。フェムトセル基地局１１は、建物１３内に設置され、ホームゲートウェイ装置１２の一部を構成している。なお、建物３は、移動通信端末４のユーザーの個人宅であり、建物１３は、移動通信端末１４のユーザーの個人宅である。
【００２５】
このような構成の移動通信システム２０では、移動通信端末４が建物３の屋外から屋内に移動すると、移動通信端末４はフェムトセル基地局１と無線通信を行う。同様に、移動通信端末１４が建物１３の屋外から屋内に移動すると、移動通信端末１４はフェムトセル基地局１１と無線通信を行う。
【００２６】
そして、移動通信端末４及び１４の少なくとも一方がフェムトセル１ａ（又は１１ａ）内に位置しているときは、両者の通話において、無線アクセスネットワーク及びコアネットワーク１０の負荷は小さくなる。特に、両方が、フェムトセル１ａ（又は１１ａ）内に位置しているときは、無線アクセスネットワーク及びコアネットワーク１０を利用することなく、両者の間で通話が行われる。このため、移動通信システム２０を提供する携帯電話事業者は、これらの場合の通話料金を、両者がセル８ａ内に位置している場合の通話料金よりも安く設定している。
【００２７】
このような料金設定による利益を、ユーザーが有効に享受できるようにするため、フェムトセル基地局１及び１１は、従来からのフェムトセル基地局には無い機能を備えている。ここで、図２を用いて、本実施の形態における無線基地局（フェムトセル基地局）の具体的構成について説明する。図２は、図１に示したフェムトセル基地局及びホームゲートウェイ装置の構成を示すブロック図である。
【００２８】
なお、本実施の形態１において、フェムトセル基地局１とフェムトセル基地局１１とは同一の構成を有している。同様に、ホームゲートウェイ装置２とホームゲートウェイ装置１２も、同一の構成を有している。このため、図２においては、フェムトセル基地局１と、ホームゲートウェイ装置２との構成のみが図示されている。
【００２９】
図２に示すように、フェムトセル基地局１は、判定部２２と、情報生成部２４と、送信部２６とを備えている。判定部２２は、特定の移動通信端末との間で無線通信が開始されているかどうかを判定する。情報生成部２４は、特定の移動通信端末との無線通信が開始されていると判定された場合に、特定の移動通信端末との無線通信が開始されていることを示す通信開始情報を生成する。送信部２６は、この通信開始情報を、ブロードバンド回線５を介して、フェムトセル基地局１の外部の別の移動通信端末に向けて送信する。
【００３０】
本実施の形態１では、上述の特定の移動通信端末は、移動通信端末４である。また、フェムトセル基地局１は、更に、無線通信部２１を備えている。無線通信部２１は、フェムトセル基地局１の位置情報（ページングエリア番号）を常に送信している。移動通信端末４は、建物３の外から中に移動し、フェムトセル１ａ内に入ると、今までと異なる位置情報を無線通信部２１から受信し、この位置情報によって特定される位置を登録する。
【００３１】
そして、移動通信端末４は、自己の識別番号を特定する情報（識別情報）と、新たな位置を特定する情報とを送信する。これらの情報は、フェムトセル基地局１、ブロードバンド回線５及びインターネット６を介して、コアネットワーク１０の移動交換局に送信される。その後、移動交換局は、移動通信端末４の認証を実行する。認証が完了すると、ＨＬＲは、移動通信端末４の位置情報を更新する。
【００３２】
本実施の形態１では、判定部２２は、この移動通信端末４が送信した識別情報を取得し、識別情報が特定する識別番号が、記憶部２３に登録されている識別番号に該当するかどうかを判定する。該当する場合は、判定部２２は、上述したように、特定の移動通信端末との無線通信が開始されたと判定し、そのことを情報生成部２４に通知する。
【００３３】
情報生成部２４は、判定部２２からの通知を受けると、上述したように通信開始情報を生成する。本実施の形態１では、情報生成部２４は、更に、電子メール生成部２５を備えている。電子メール生成部２５は、通信開始情報を含む電子メールを生成する。送信部２６は、電子メールを予め登録されている別の移動通信端末に送信する。具体的には、記憶部２３が、電子メールの送信先のアドレスとして、移動通信端末１４の電子メールアドレスを登録している。
【００３４】
この電子メールは、移動通信端末１４へと送信される。この場合、移動通信端末１４が、無線基地局８のセル８ａ内に位置しているときは、コアネットワーク１０を介して、移動通信端末１４に送信される。一方、移動通信端末１４が、フェムトセル基地局１１のフェムトセル１１ａ内に位置しているときは、電子メールは、コアネットワーク１０を介することなく、移動通信端末１４に送信される。後者では、無線アクセスネットワーク及びコアネットワーク１０の負荷は小さくなる。
【００３５】
このように、本実施の形態１によれば、移動通信端末４が、フェムトセル基地局１のフェムトセル１ａ内に位置すると、そのことを示す電子メールが、自動的に移動通信端末１４（図１参照）に送信される。よって、移動通信端末１４のユーザーは、煩わしい作業を行うことなく、移動通信端末４がフェムトセル１内にいることを知ることができる。更に、このとき、移動通信端末１４のユーザーは、通話料金が安くなるタイミングであることを知り、料金設定による利益を享受することができる。また、反対に、移動通信端末１４が、フェムトセル１１ａ内に位置すると、そのことを示す電子メールが移動通信端末４に送信される。
【００３６】
また、本実施の形態１では、判定部２２は、移動通信端末４との無線通信が開始されていると判定した後に、移動通信端末４との無線通信が終了したかどうかも判定している。具体的には、判定部２２は、一定時間毎に、ＨＬＲにアクセスし、移動通信端末４の位置情報を抽出している。抽出した位置情報が、フェムトセル基地局１の位置情報と一致しない場合は、判定部２２は、移動通信端末４との無線通信が終了したと判断し、そのことを情報生成部２４に通知する。
【００３７】
この場合、情報生成部２４は、移動通信端末４との無線通信が終了したことを示す通信終了情報を生成する。電子メール生成部２５は、通信終了情報を含む電子メールを生成する。そして、送信部２６は、電子メールを予め登録されている別の移動通信端末に、具体的には、移動通信端末１４に送信する。
【００３８】
このように、本実施の形態１では、移動通信端末４が、フェムトセル１ａ内に位置しなくなったときも、そのことを示す電子メールが移動通信端末１４に送信される。よって、移動通信端末１４のユーザーは、通話料金の上昇も知ることができる。この場合、移動通信端末１４のユーザーは、これを回避するため、例えば、通話の一時中止や、場所移動の要求等を行うことができる。反対に、移動通信端末１４が、フェムトセル１１ａ内に位置しなくなったときは、そのことを示す電子メールが移動通信端末４に送信される。
【００３９】
また、本実施の形態１においては、ホームゲートウェイ装置２は、図２には示されていないが、ファイアオールとして機能する構成、無線ＬＡＮのアクセスポイントとして機能する構成、各種プロトコル変換を行う構成等も備えている。ホームゲートウェイ装置２及び１２の構成は、図２に示す構成に限定されるものではない。また、図２において、２７はインターフェイスである。インターフェイス２７は、ブロードバンド回線５と、フェムトセル基地局１を含む各種構成とを接続している。
【００４０】
本実施の形態１において、ブロードバンド回線５は、特に限定されるものではない。ブロードバンド回線５としては、ＦＴＴＨ（Fiber To The Home）や、ＡＤＳＬ（Asymmetric Digital Subscriber Line）等が挙げられる。なお、前者の場合は、ホームゲートウェイ装置２とブロードバンド回線５との間には、ＯＮＵ（Optical Network Unit）が設置される。また、後者の場合は、ホームゲートウェイ装置２とブロードバンド回線５との間には、ルーターが設置される。
【００４１】
また、本実施の形態１において、移動通信端末は、特に限定されるものではない。移動通信端末は、移動通信システム２０において、無線基地局８、フェムトセル基地局１及び１１と無線通信が可能なものであれば良い。更に、本実施の形態１では、フェムトセル基地局１とフェムトセル基地局１１とは、同一の構成を備えているが、どちらか一方が、判定部２２、情報生成部２４、及び送受信部２６を備えていない態様であっても良い。この態様においても、他方のフェムトセル基地局は、自己のセルに特定の移動通信端末が存在することを、別の移動通信端末に通知することができるからである。
【００４２】
次に、本発明の実施の形態１におけるフェムトセル基地局で行われる処理について図３を用いて説明する。図３は、図１及び図２で示したフェムトセル基地局で行われる処理を示すフロー図である。なお、以下の説明においては、適宜図１及び図２を参酌する。
【００４３】
図３に示すように、先ず、判定部２２は、移動通信端末が送信した識別情報を取得し、識別情報が特定する識別番号が、記憶部２３に登録されているかどうかを判定する（ステップＳ１）。
【００４４】
登録されていない場合は、判定部２２は、待機状態となり、移動通信端末が送信する識別情報を監視する。一方、登録されている場合、具体的には、識別番号が移動通信端末４の識別番号である場合は、判定部２２は、移動通信端末４とフェムトセル基地局１との無線通信が開始されたと判定し、そのことを情報生成部２４に通知する。
【００４５】
判定部２２からの通知を受けると、情報生成部２４は、通信開始情報を生成し、更に、電子メール生成部２５に、通信開始情報を含む電子メールを生成させる（ステップＳ２）。ステップＳ２が終了すると、送信部２６は、この電子メールを、予め登録されている別の通信端末装置、具体的には通信端末装置１４に向けて送信する（ステップＳ３）。
【００４６】
続いて、ステップＳ３が終了すると、判定部２２は、ＨＬＲにアクセスし、移動通信端末４の位置情報を抽出する。そして、判定部２２は、抽出した位置情報とフェムトセル基地局１の位置情報との間に不一致が生じているかどうか判定する（ステップＳ４）。
【００４７】
不一致が生じていない場合は、判定部２２は、待機状態となり、一定時間毎に、再度ステップＳ４を実行する。一方、不一致が生じている場合は、判定部２２は、移動通信端末４とフェムトセル基地局１との無線通信が終了したと判定し、そのことを情報生成部２４に通知する。
【００４８】
判定部２２からの通知を受けると、情報生成部２４は、通信終了情報を生成し、更に、電子メール生成部２５に、通信終了情報を含む電子メールを生成させる（ステップＳ５）。ステップＳ５が終了すると、送信部２６は、この電子メールを、予め登録されている別の通信端末装置、具体的には通信端末装置１４に向けて送信する（ステップＳ６）。その後、フェムトセル基地局１における処理は一旦終了し、判定部２２は待機状態となる。
【００４９】
このように、ステップＳ１〜Ｓ６の処理の結果、特定の移動通信端末とフェムトセル基地局との無線通信が開始された場合、又は終了した場合に、そのことが、自動的に、予め設定された別の移動通信端末に通知される。通知されたユーザーは、特定の移動通信端末との通話にかかる料金の状態を知ることができる。
【００５０】
（実施の形態２）
次に、本発明の実施の形態２における無線基地局、及びホームゲートウェイ装置について、図４〜図７を参照しながら説明する。最初に、本実施の形態２における無線基地局、及びホームゲートウェイ装置の構成について図４及び図５を用いて説明する。図４は、本発明の実施の形態２における移動通信システムの全体構成を示す図である。図５は、図４に示したフェムトセル基地局及びホームゲートウェイ装置の構成を示すブロック図である。
【００５１】
図４に示す移動通信システム３０は、フェムトセル基地局３１及び３２の構成の点で、実施の形態１において図１に示した移動通信システム２０と異なっている（図５参照）。なお、図４において、３１ａ及び３２ａはそれぞれフェムトセルを示している。フェムトセル基地局３１とフェムトセル基地局３２とは同一の構成を有している。
【００５２】
また、図４に示すように、移動通信システム３０では、移動通信システム２０と異なり、コアネットワーク１０に、電子メールの生成及び送信が可能なメール装置１８が設けられている。これらの点以外については、移動通信システム３０は、移動通信システム２０と同様である。以下、異なる点を中心に説明する。
【００５３】
図５に示すように、フェムトセル基地局３１では、情報生成部２４がメール生成部を備えておらず、情報生成部２４が生成した通信開始情報及び通信終了情報は、フェムトセル基地局３１の外部、具体的には、コアネットワーク１０に接続されたメール装置１８に送信される。但し、このとき、通信開始情報及び通信終了情報が予め登録された別の移動通信端末に向けて送信されるようにするため、これらの情報には、送信先の移動通信端末を特定するための情報（例えば、識別番号、メールアドレス等）が付加されている。
【００５４】
メール装置１８は、情報生成部２４が通信開始情報又は通信終了情報を送信すると、送信された情報を含む電子メールを生成する。そして、メール装置１８は、これらの情報に付加されている送信先に関する情報を参酌し、この電子メールを、予め登録されている別の移動通信端末に送信する。本実施の形態２において、予め登録されている移動通信端末は、移動通信端末４及び１４である。例えば、通信開始情報又は通信終了情報が、フェムトセル基地局３１から送信された場合は、移動通信端末１４宛の電子メールが生成され、送信される。また、通信開始情報又は通信終了情報が、フェムトセル基地局３２から送信された場合は、移動通信端末４宛の電子メールが生成され、送信される。
【００５５】
このように、本実施の形態２においても、実施の形態１と同様に、移動通信端末４が、フェムトセル基地局３１のフェムトセル３１ａ内に位置すると、そのことを示す電子メールが、自動的に移動通信端末１４（図１参照）に送信される。更に、移動通信端末４が、フェムトセル３１ａ内に位置しなくなったときも、そのことを示す電子メールが移動通信端末１４に送信される。本実施の形態２を用いた場合も、実施の形態１と同様の効果を得ることができる。
【００５６】
更に、本実施の形態２においては、上述したように、フェムトセル基地局３１及び３２の外部にメール装置１８が配置される。よって、本実施の形態２によれば、フェムトセル基地局の構成は、実施の形態１に比べて簡略化されるため（図５参照）、フェムトセル基地局にかかるコストの削減を図ることができる。また、一つのメール装置で、複数のフェムトセル基地局に対応できるため、移動通信システム自体のコストの上昇も抑制される。
【００５７】
また、本実施の形態２では、メール装置１８は、コアネットワーク１０以外の箇所、例えば、図３において破線で示すように、インターネット６に接続されていても良い。更に、本実施の形態２においても、実施の形態１と同様に、移動通信端末は、特に限定されるものではない。移動通信端末は、移動通信システム２０において、無線基地局８、フェムトセル基地局１及び１１と無線通信が可能なものであれば良い。更に、本実施の形態２においても、フェムトセル基地局３１とフェムトセル基地局３２のうち、どちらか一方が、判定部２２、情報生成部２４、及び送受信部２６を備えていない態様であっても良い。
【００５８】
次に、本発明の実施の形態２における移動通信システムで行われる処理について図６及び図７を用いて説明する。図６は、図４及び図５で示したフェムトセル基地局で行われる処理を示すフロー図である。図７は、図４に示したメール装置で行われる処理を示すフロー図である。なお、以下の説明においては、適宜図１及び図２を参酌する。
【００５９】
図６に示すように、先ず、判定部２２は、移動通信端末が送信した識別情報を取得し、識別情報が特定する識別番号が、記憶部２３に登録されているかどうかを判定する（ステップＳ１１）。ステップＳ１１は、実施の形態１において図３に示したステップＳ１と同様のステップである。登録されていない場合は、判定部２２は、待機状態となる。一方、登録されている場合、具体的には、識別番号が移動通信端末４の識別番号である場合は、判定部２２は、移動通信端末４とフェムトセル基地局３１との無線通信が開始されたことを情報生成部２４に通知する。
【００６０】
判定部２２からの通知を受けると、情報生成部２４は、通信開始情報を生成する（ステップＳ１２）。ステップＳ１２では、図３に示されたステップＳ２と異なり、電子メールの生成は行われない。ステップＳ１２が終了すると、送信部２６は、通信開始情報を外部のメール装置１８へと送信する（ステップＳ１３）。
【００６１】
続いて、ステップＳ１３が終了すると、判定部２２は、ＨＬＲにアクセスし、移動通信端末４の位置情報とフェムトセル基地局１の位置情報との間に不一致が生じているかどうか判定する（ステップＳ１４）。ステップＳ１４は、実施の形態１において図３に示したステップＳ４と同様のステップである。
【００６２】
不一致が生じていない場合は、判定部２２は、待機状態となり、一定時間毎に、再度ステップＳ１４を実行する。一方、不一致が生じている場合は、判定部２２は、移動通信端末４とフェムトセル基地局３１との無線通信が終了したと判定し、そのことを情報生成部２４に通知する。
【００６３】
判定部２２からの通知を受けると、情報生成部２４は、通信終了情報を生成する（ステップＳ１５）。ステップＳ１５でも、図３に示されたステップＳ５と異なり、電子メールの生成は行われない。ステップＳ１５が終了すると、送信部２６は、通信終了情報を外部のメール装置１８へと送信する（ステップＳ１６）。この後、フェムトセル基地局３１における処理は一旦終了し、判定部２２は待機状態となる。
【００６４】
また、上記ステップＳ１１〜Ｓ１６と平行して、メール装置１８では、図７に示すステップＳ２１〜Ｓ２４が実行される。具体的には、図７に示すように、最初に、メール装置１８は、いずれかのフェムトセル基地局から情報を受信したかどうか判定する（ステップＳ２１）。
【００６５】
情報を取得していない場合は、メール装置１８は、待機状態となる。一方、情報を取得した場合は、メール装置１８は、この情報に基づいて、送信元の移動通信端末、電子メールの送信先の移動通信端末、及び、作成が求められている電子メールの種類を特定する（ステップＳ２２）。
【００６６】
次に、メール装置１８は、ステップＳ２２で特定した情報に基づいて、電子メールを作成（ステップＳ２３）する。続いて、メール装置１８は、特定された送信先の移動通信端末に、作成した電子メールを送信する（ステップＳ２４）。その後、メール装置１８における処理は一旦終了し、メール装置は待機状態となる。
【００６７】
このように、ステップＳ１１〜Ｓ１６、ステップＳ２１〜Ｓ２４の処理の結果、特定の移動通信端末とフェムトセル基地局との無線通信が開始された場合、又は終了した場合に、そのことが、自動的に、予め設定された別の移動通信端末に通知される。本実施の形態２においても、通知されたユーザーは、特定の移動通信端末との通話にかかる料金の状態を知ることができる。
【００６８】
（実施の形態３）
次に、本発明の実施の形態３における無線基地局、及びホームゲートウェイ装置について説明する。本実施の形態３においては、移動通信システムは、フェムトセル基地局の構成を除き、実施の形態１において図１に示した移動通信システム２０と同様に構成されている。
【００６９】
また、本実施の形態３において、フェムトセル基地局は、図２に示したフェムトセル基地局１の構成から、判定部２２、情報生成部２４、及び送信部２６が除かれた構成を備えている。即ち、本実施の形態３においては、フェムトセル基地局は、実施の形態１及び２と異なり、特定の移動通信端末かどうかを判定したり、それに応じて情報や電子メールを送信したりしないようになっている。
【００７０】
本実施の形態３では、実施の形態１及び２と異なり、移動通信端末が、無線通信を行っている基地局が特定のフェムトセルかどうかを判定し、それに応じて、別の移動通信端末に電子メールを送信する。この点について、図８を用いて説明する。図８は、本発明の実施の形態３で用いられる移動通信端末の構成を示すブロック図である。
【００７１】
図８に示す移動通信端末３３は、フェムトセル基地局を含む無線基地局との間で無線通信を実行する。移動通信端末３３は、無線基地局からの電波を受信する受信部３４と、無線基地局へと電波を送信する送信部３５と、情報処理部３６と、スピーカ３９と、マイク４０と、入力装置４１とを備えている。
【００７２】
情報処理部３６は、移動通信端末３３の心臓部であり、受信部３４が受信した電波から、暗号化情報を抽出し、これを復号化する。これにより、音声データや電子メールが取り出され、音声データはスピーカ３９で再生される。また、電子メールは、表示部４２に表示される。また、情報処理部３６は、入力装置４１から入力されたデータや、マイク４０から入力された音声データを暗号化し、暗号化情報を作成する。作成された暗号化情報は、送信部３５から無線基地局へと送信される。
【００７３】
このように、移動通信端末３３は、一般的な移動通信端末と同様に機能することができるが、本実施の形態３においては、以下に述べる機能も備えている。図８に示すように、移動通信端末３３は、更に、判定部３７と情報生成部３８とを備えている。本実施の形態３では、判定部３７及び情報生成部３８は、情報処理部３６の一部である。
【００７４】
判定部３７は、特定の無線基地局、本実施の形態３では、特定のフェムトセル基地局との無線通信が開始されているかどうかを判定する。具体的には、判定部３７は、無線基地局からの位置情報が受信部３４で受信されると、位置情報からページングエリア番号を抽出する。そして、判定部３７は、ページングエリア番号が、予め情報処理部３６に登録されている、フェムトセル基地局のページング番号と、一致するかどうか判定する。一致する場合は、判定部３７は、特定のフェムトセル基地局との無線通信が開始されていると判定する。
【００７５】
情報生成部３８は、判定部３７が、特定のフェムトセル基地局との無線通信が開始されていると判定すると、この無線通信が開始されていることを示す通信開始情報を生成する。本実施の形態３では、情報生成部３８は、更に、通信開始情報を含む電子メールも生成する。このとき、情報生成部３８は、電子メールの送信先を、予め情報処理部３６に登録されている、別の移動通信端末のメールアドレスに設定する。その後、情報生成部３８が生成した電子メールは、送信部３５によって、予め情報処理部３６に登録されている、別の移動通信端末に送信される。
【００７６】
このように、本実施の形態３においては、移動通信端末３３が特定のフェムトセル基地局のフェムトセル内に位置すると、移動通信端末３３によって、そのことを示す電子メールが、自動的に別の移動通信端末に送信される。よって、本実施の形態３を用いた場合も、移動通信端末３３への発信を希望するユーザーは、煩わしい作業を行うことなく、移動通信端末３３がフェムトセル内にいることを知ることができる。
【００７７】
また、本実施の形態３では、判定部３７は、特定のフェムトセル基地局との無線通信が開始されていると判定した後に、このフェムトセル基地局との無線通信が終了したかどうかも判定する。具体的には、判定部３７は、新たに抽出されたページングエリア番号が、既に取得されているページングエリア番号と一致しなくなったときに、特定のフェムトセル基地局との無線通信が終了したと判定する。
【００７８】
そして、判定部３７が、特定のフェムトセル基地局との無線通信が終了したと判定すると、情報生成部３８は、特定のフェムトセル基地局との無線通信が終了したことを示す通信終了情報生成し、更に、通信終了情報を含む電子メールも生成する。また、情報生成部３８は、電子メールの送信先を、予め情報処理部３６に登録されている、別の移動通信端末のメールアドレスに設定する。その後、通信終了情報を含む電子メールも、送信部３５によって、予め情報処理部３６に登録されている、別の移動通信端末に送信される。
【００７９】
このように、移動通信端末３３が、特定のフェムトセル基地局のフェムトセル内に位置しなくなったときも、そのことを示す電子メールが、自動的に、別の移動通信端末に送信される。本実施の形態３を用いた場合も、別の移動通信端末のユーザーは、通話料金の上昇も知ることができる。この場合、別の移動通信端末のユーザーは、これを回避するため、例えば、通話の一時中止や、場所移動の要求等を行うことができる。
【００８０】
また、本実施の形態３によれば、従来からの移動通信システムに、新たな設備を追加することなく、上述した実施の形態１と同様の効果を得ることができる。本実施の形態３によれば、実施の形態１に比べて、設備コストの増加化を抑制することができる。
【００８１】
上記した実施の形態１〜実施の形態３においては、特定の移動通信端末がフェムトセル内にいることは、相手方の移動通信端末に電子メールを送信することによって、ユーザーに知らせているが、本発明は、これに限定されるものではない。本発明は、例えば、相手方の移動通信端末が、音、光、表示画面上のメッセージ等によって、ユーザーに通知する態様であっても良い。
【００８２】
なお、今回開示された実施の形態は全ての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【図面の簡単な説明】
【００８３】
【図１】図１は、本発明の実施の形態１における無線基地局を備える移動通信システムの全体構成を示す図である。
【図２】図２は、図１に示したフェムトセル基地局及びホームゲートウェイ装置の構成を示すブロック図である。
【図３】図３は、図１及び図２で示したフェムトセル基地局で行われる処理を示すフロー図である。
【図４】図４は、本発明の実施の形態２における移動通信システムの全体構成を示す図である。
【図５】図５は、図４に示したフェムトセル基地局及びホームゲートウェイ装置の構成を示すブロック図である。
【図６】図６は、図４及び図５で示したフェムトセル基地局で行われる処理を示すフロー図である。
【図７】図７は、図４に示したメール装置で行われる処理を示すフロー図である。
【図８】図８は、本発明の実施の形態３で用いられる移動通信端末の構成を示すブロック図である。
【符号の説明】
【００８４】
１  無線基地局（フェムトセル基地局）
１ａ  フェムトセル
２  ホームゲートウェイ装置
３  建物
４  移動通信端末
５  ブロードバンド回線
６  インターネット
７  基地局制御装置
８  無線基地局
８ａ  セル
９  アンテナ
１０  コアネットワーク
１１  無線基地局（フェムトセル基地局）
１１ａ  フェムトセル
１２  ホームゲートウェイ装置
１３  建物
１４  移動通信端末
１５  電話網
１６  交換制御装置
１７  ゲートウェイ（ＧＷ）
１８  メール装置
２０  移動通信システム
２１  無線通信部
２２  判定部
２３  記憶部
２４  情報生成部
２５  電メール生成部
２６  送信部
２７  インターフェイス
３１、３２  無線基地局（フェムトセル基地局）
３１ａ、３２ａ  フェムトセル
３３  移動通信端末
３４  受信部
３５  送信部
３６  情報処理部
３７  判定部
３８  情報生成部
３９  スピーカ
４０  マイク
４１  入力装置
４２  表示部
【図１】
2010074345.tif 000003
【図２】
2010074345.tif 000004
【図３】
2010074345.tif 000005
【図４】
2010074345.tif 000006
【図５】
2010074345.tif 000007
【図６】
2010074345.tif 000008
【図７】
2010074345.tif 000009
【図８】
2010074345.tif 000010